(57)【要約】【課題】表示手段を有効に活用して電池残量情報の監視を適切に行うとともに操作性を向上させる上で有利な電子機器および電子機器における表示画面の制御方法を提供する。【解決手段】コンテンツの再生中あるいは停止中は電池残量アイコン４８によって電池の残量を簡単に視認でき、操作部２０の操作によりコンテンツの送りあるいは戻しの操作を行うと所定時間だけ電池残量アイコン４８の代わりに方向アイコン５０が表示され所定時間の経過後は再び電池残量アイコン４８が表示される。【選択図】        図１０
2007057845.tif 000002
【特許請求の範囲】
【請求項１】
情報が表示される表示手段と、
操作部と、
前記表示手段を制御して前記表示手段に情報を表示させるとともに、前記操作部が操作されることで発せられる命令を受けて動作する制御手段とを備え、
前記制御手段は、前記表示手段に電池残量情報を表示させるように構成され、
さらに、前記制御手段は、前記操作部の操作により、前記表示手段に表示されている表示内容を変更する命令が発せられた場合には、前記表示手段において、前記電池残量情報の表示を消した後、前記表示手段に表示可能な他の表示内容が存在する方向を示す方向情報を所定時間表示させ、前記所定時間が経過した後、前記方向情報の表示を消して前記電池残量情報を表示させるように構成されている、
ことを特徴とする電子機器。
【請求項２】
前記表示手段は表示画面を有し、前記表示画面は第１の表示領域と、前記表示手段から第１の表示領域を除いた第２の表示領域とから構成され、
前記情報の表示は前記第１の表示領域になされ、
前記電池残量情報の表示は前記第２の表示領域になされ、
前記制御手段が前記表示内容を変更する命令を受けて変更した表示内容の表示は前記第１の表示領域になされることを特徴とする請求項１記載の電子機器。
【請求項３】
複数のコンテンツと前記コンテンツ毎に付加される付加情報を記憶する記憶媒体と、
前記記憶媒体から読み出した前記コンテンツを再生する再生手段とを備え、
前記制御手段は、前記第１の表示領域に前記再生手段で再生される前記コンテンツに対応する前記付加情報を表示するように構成され、
前記操作部から前記制御手段に発せられる命令は、前記再生手段で再生される前記コンテンツの送りまたは戻しを行わせる命令を含み、
前記方向情報は、前記コンテンツの送りまたは戻しがなされることに対応して前記第１の表示領域に表示される前記付加情報が存在する方向を示す情報であることを特徴とする請求項２記載の電子機器。
【請求項４】
複数のコンテンツと前記コンテンツ毎に付加される複数の付加情報を記憶する記憶媒体をさらに有し、
前記制御手段は、前記付加情報を上位の階層から下位の階層にわたる複数の階層に分けて階層的に管理するとともに、前記第１の表示領域には前記付加情報を表示するように構成され、
前記操作部から前記制御手段に発せられる命令は、前記付加情報を特定することで前記コンテンツを選択する命令を含み、
前記方向情報は、前記第１の表示領域に表示されている前記付加情報とは別の階層に存在する別の付加情報が存在する方向を示す情報と、前記第１の表示領域に表示されている前記付加情報と同一階層に存在する別の付加情報が存在する方向を示す情報の双方または一方であることを特徴とする請求項２記載の電子機器。
【請求項５】
前記制御手段は、前記電子機器の動作にまつわる複数の設定内容を示すメニュー情報を上位の階層から下位の階層にわたる複数の階層に分けて階層的に管理するとともに、前記第１の表示領域に前記メニュー情報を表示するように構成され、
前記操作部から前記制御手段に発せられる命令は、前記メニュー情報を特定することで前記設定内容の選択を行う命令を含み、
前記方向情報は、前記第１の表示領域に表示されている前記メニュー情報とは別の階層に存在する別のメニュー情報が存在する方向を示す情報と、前記第１の表示領域に表示されている前記メニュー情報と同一階層に存在する別のメニュー情報が存在する方向を示す情報の双方または一方であることを特徴とする請求項２記載の電子機器。
【請求項６】
前記第２の表示領域において前記電池残量情報の表示を消した後の前記方向情報は前記第２の表示領域に表示されることを特徴とする請求項２記載の電子機器。
【請求項７】
前記所定時間が経過した後、前記変更された表示内容は前記第１の表示領域に残され、前記方向情報の表示を消した後の前記電池残量情報の表示は前記第２の表示領域で行われることを特徴とする請求項２記載の電子機器。
【請求項８】
前記表示画面は細長形状を呈し、前記第２の表示領域は前記表示画面の長手方向の端部に位置する箇所であり、前記第１の表示領域は前記表示画面から前記第２の表示領域を除いた箇所であることを特徴とする請求項２記載の電子機器。
【請求項９】
前記方向情報は、異なる４つの方向を向いた第１乃至第４の方向アイコンで構成されていることを特徴とする請求項１記載の電子機器。
【請求項１０】
前記方向情報は、互いに１８０度反対方向を向いた２つの方向アイコンで構成されていることを特徴とする請求項１記載の電子機器。
【請求項１１】
前記方向情報は、互いに９０度をなして隣り合う４つの方向を向いた４つの方向アイコンで構成されていることを特徴とする請求項１記載の電子機器。
【請求項１２】
前記コンテンツは音楽コンテンツであり、前記付加情報は前記コンテンツに関連付けられた曲名、アーティスト名、アルバム名、グループ名の少なくとも１つを含むことを特徴とする請求項３または４記載の電子機器。
【請求項１３】
前記電子機器は、複数の音楽コンテンツを記憶する記憶媒体と、前記記憶媒体から読み出した前記音楽コンテンツを再生する再生手段とを備え、前記複数の設定内容は、前記音楽コンテンツの繰り返し再生方法の種類を示すものであることを特徴とする請求項５記載の電子機器。
【請求項１４】
前記電子機器は電池から供給される電力によって動作し、前記電池残量情報は前記電池の残量を示す情報であることを特徴とする請求項１記載の電子機器。
【請求項１５】
情報が表示される表示手段と、操作部と、前記表示手段を制御して前記表示手段に情報を表示させるとともに、前記操作部が操作されることで発せられる命令を受けて動作する制御手段とを設け、
前記制御手段により、前記表示手段に電池残量情報を表示させ、
前記操作部の操作により、前記表示手段に表示されている表示内容を変更する命令が発せられた場合には、前記制御手段により、前記表示手段において、前記電池残量情報の表示を消した後、前記表示手段に表示可能な他の表示内容が存在する方向を示す方向情報を所定時間表示させ、前記所定時間が経過した後、前記方向情報の表示を消して前記電池残量情報を表示させるようにした、
ことを特徴とする電子機器における表示画面の制御方法。
【発明の詳細な説明】
【技術分野】
【０００１】
本発明は電子機器および電子機器における表示画面の制御方法に関する。
【背景技術】
【０００２】
種々の情報を表示するためのディスプレイ（表示手段）を備え、乾電池や充電池などの電池で駆動される電子機器は、多くの場合、ディスプレイの所定箇所に、ユーザーに対して電池切れを警告するために電池残量情報（電池残量アイコン）を常時表示させる機能を有している（特許文献１参照）。
【特許文献１】特開２００２−６２８５９号公報
【発明の開示】
【発明が解決しようとする課題】
【０００３】
近年、携帯用電子機器の小型化に伴ってディスプレイの表示面積も縮小される傾向にあるが、表示面積が小さいディスプレイにおいて、電池残量情報が常時表示されると、ディスプレイの表示領域が電池残量情報の表示で占有されてしまい、他の情報を表示するための面積が少なくなり、操作性が損なわれる不利があった。
本発明は、このような事情に鑑みなされたもので、その目的は表示手段を有効に活用して電池残量情報の監視を適切に行うとともに操作性を向上させる上で有利な電子機器および電子機器における表示画面の制御方法を提供することにある。
【課題を解決するための手段】
【０００４】
上述の目的を達成するため、本発明の電子機器は、情報が表示される表示手段と、操作部と、前記表示手段を制御して前記表示手段に情報を表示させるとともに、前記操作部が操作されることで発せられる命令を受けて動作する制御手段とを備え、前記制御手段は、前記表示手段に電池残量情報を表示させるように構成され、さらに、前記制御手段は、前記操作部の操作により、前記表示手段に表示されている表示内容を変更する命令が発せられた場合には、前記表示手段において、前記電池残量情報の表示を消した後、前記表示手段に表示可能な他の表示内容が存在する方向を示す方向情報を所定時間表示させ、前記所定時間が経過した後、前記方向情報の表示を消して前記電池残量情報を表示させるように構成されていることを特徴とする。
また、本発明の電子機器における表示画面の制御方法は、情報が表示される表示手段と、操作部と、前記表示手段を制御して前記表示手段に情報を表示させるとともに、前記操作部が操作されることで発せられる命令を受けて動作する制御手段とを設け、前記制御手段により、前記表示手段に電池残量情報を表示させ、前記操作部の操作により、前記表示手段に表示されている表示内容を変更する命令が発せられた場合には、前記制御手段により、前記表示手段において、前記電池残量情報の表示を消した後、前記表示手段に表示可能な他の表示内容が存在する方向を示す方向情報を所定時間表示させ、前記所定時間が経過した後、前記方向情報の表示を消して前記電池残量情報を表示させるようにしたことを特徴とする。
【発明の効果】
【０００５】
本発明によれば、操作部の操作により、表示手段の表示内容を変更する命令が発せられた場合には、表示手段に変更された表示内容を表示させるとともに、電池残量情報の表示を消した後、表示手段に表示可能な他の表示内容が存在する方向を示す方向情報を所定時間表示させ、所定時間が経過した後、方向情報の表示を消して電池残量情報を表示させるので、表示手段を有効に活用して電池残量情報の監視を適切に行うとともに操作性を向上させる上で有利となる。
【発明を実施するための最良の形態】
【０００６】
（第１の実施の形態）
次に本発明の第１の実施の形態について図面を参照して説明する。
図１は第１の実施の形態の電子機器１００の斜視図、図２は電子機器１００のディスプレイ１０と操作部２０の配置を模式的に示した平面図である。
本実施の形態において、電子機器１００は、デジタルデータを再生し音声信号として出力するメモリプレーヤである。
図１に示すように、電子機器１００は外装を構成するケース１０２を備え、ケース１０２の上面にはディスプレイ１０、第１乃至第３のスイッチ１２、１４、１６、５方向スイッチ１８が設けられ、これら第１乃至第３のスイッチ１２、１４、１６、５方向スイッチ１８によって操作部２０が構成されている。
ディスプレイ１０は細長形状の表示画面を有し、その表示画面に、再生するデータに関わる情報（例えば、曲名、アーティスト名、アルバム名、サンプリング周波数、音量、選局周波数など）、操作に関する情報（音量表示、音質表示、方向、電池残量アイコンなど）を表示するものである。
本実施の形態において、ディスプレイ１０は有機ＥＬ（Ｅｌｅｃｔｒｏｎｉｃ  Ｌｕｍｉｎｅｓｃｅｎｔ）からなり、１０８×１６ドットの画素によるマトリクス表示（フルドット表示）を行うものである。
したがって、ディスプレイ１０には、文字や記号、アイコンなどが表示可能である。
【０００７】
第１のスイッチ１２は後述するチューナー３２の機能をオンオフするものであり、第２のスイッチ１４は、メニュー表示の切り換えを行うものであり、第３のスイッチは、リピート再生機能の切り換えを行うものである。
５方向スイッチ１８は、１つの操作部材を介して５つのスイッチを選択的に操作するものであり、具体的には、前記操作部材を揺動させることなく押圧することで１つのキースイッチを操作し、４方向に傾動することで４つのキースイッチを押圧して操作するものである。
前記揺動させることなく押圧される１つのキースイッチは、再生およびその停止を行うための再生停止キー（Ｐｌａｙ／Ｓｔｏｐキー）１８Ａである。
図２に示すように、４つのキースイッチは、曲を送るための曲送りキー（ＡＭＳ＋キー）１８Ｂ、曲を戻すための曲戻しキー（ＡＭＳ−キー）１８Ｃ、音量を上げるための音量増加キー（Ｖｏｌ＋キー）１８Ｄ、音量を下げるための音量低下キー（Ｖｏｌ−）キー１８Ｅである。
詳細に説明すると、図１、図２に示すように、キースイッチ１８Ｂ、１８Ｃ、１８Ｄ、１８Ｅはそれぞれ第１乃至第４の方向ｄ１、ｄ２、ｄ３、ｄ４に傾動されることで動作される。
第１、第２の方向ｄ１、ｄ２はケース１０２の上面において互いに１８０度反対の方向である。
第３、第４の方向ｄ３、ｄ４はケース１０２の上面において、互いに１８０度反対の方向であり、第１、第２の方向ｄ１、ｄ２とは９０度をなしている。
言い換えると、第１乃至第４の方向ｄ１乃至ｄ４は、互いに９０度をなして隣り合う４つの方向となっている。
また、図２に示すように、第３、第４の方向ｄ３、ｄ４はディスプレイ１４の長手方向と平行し、第１、第２の方向ｄ１、ｄ２は前記長手方向と直交している。
なお、後述するように、再生停止キー１８Ａは電子機器１００の種々の設定項目を決定あるいは選択するための操作キーを兼用し、４つのキースイッチ１８Ｂ乃至１８Ｅはディスプレイ１０に表示される付加情報２１０やメニュー情報３００の移動を行うための操作キーを兼用している。
【０００８】
図３は携帯用電子機器１００の構成を示すブロック図である。
次に、電子機器１００の制御系の構成について図３を参照して説明する。
電子機器１００は、上述したディスプレイ１０、操作部２０に加えて、データ用メモリ２２、プログラム用メモリ２４、コネクタ２６、ジャック２８、スピーカ２９、再生部３０、チューナー３２、電池３４、電源回路３６、コントローラ３８などを備えている。
データ用メモリ２２は記憶媒体を構成するものであり、コンテンツ（本実施の形態では、音声信号を記録した音楽コンテンツ）の書き込みおよび／または読み出しが可能に構成されており、本実施の形態では、フラッシュメモリで構成されている。また、データ用メモリ２２はケース１０２内に内蔵されているものであっても、ケース１０２に設けられたスロットに装脱可能に装着されるものであってもよい。
プログラム用メモリ２４は、コントローラ３８が実行する制御プログラムが格納されており、本実施の形態ではＳＲＡＭで構成されている。
コネクタ２６は、パーソナルコンピュータなどの外部装置（上位装置）のコネクタに接続可能に設けられたものであり、本実施の形態では、ＵＳＢ（Ｕｎｉｖｅｒｓａｌ  Ｓｅｒｉａｌ  Ｂｕｓ）のインターフェースに従って前記外部装置との間で双方向のデータ通信を行うコネクタ（シリーズＡのコネクタ）として構成されている。
チューナー３２は、ラジオ放送局から送信される電波を受信して音声信号に復調して再生部３０に供給することで放送コンテンツを再生するものであり、本実施の形態ではＦＭの電波を受信可能に構成されている。
再生部３０は再生手段を構成するものであり、コントローラ３８によってデータ用メモリ２２から読み出されたデジタルデータを再生するものであり、デジタルデータをアナログ信号としての音声信号に変換し増幅し、あるいは、チューナー３２から供給される音声信号を増幅するなどの信号処理を行いジャック２８、スピーカ２９に供給するものである。
ジャック２８は、ヘッドホンのプラグが挿脱可能に接続されるものであり、再生部３０から供給される音声信号をヘッドホンに供給するものである。
スピーカ２９は、再生部３０から供給される音声信号を音声として発生させるものである。
【０００９】
電池３４は、充電可能に構成されており、本実施の形態ではリチウムイオン電池で構成されている。
電源回路３６は、電池３４から供給される電力を所定の電圧、電流に調整して上述したディスプレイ１０、操作部２０、データ用メモリ２２、プログラム用メモリ２４、再生部３０、チューナー３２、コントローラ３８に供給するものである。
また、電池３４の出力電圧（出力電流）に基づいて電池３４の残量を算出し、残量を示す電池残量データをコントローラ３８に供給するものである。
コントローラ３８は制御手段を構成するものでありＣＰＵで構成されている。
コントローラ３８は、プログラム用メモリ２４に格納されているプログラムを実行することで、操作部２０から入力される操作信号に基づいて、データ用メモリ２２に対するデータの書き込みおよび／または読み出しの制御、ディスプレイ１０の表示制御、再生部３０の音量制御、コネクタ２６を介して接続された外部装置との間でのデータ通信の制御などを行うものである。
また、コントローラ３８は、後で説明するコンテンツの階層的な管理、メニュー情報３００の階層的な管理も行っている。
【００１０】
図４はコンテンツのデータ構造を示す説明図である。
図４に示すように、コンテンツ２００には、コンテンツ２００毎に関連付けられた複数の付加情報２１０が付加されている。
本実施の形態では、付加情報２１０は、アーティスト名２１２、アルバム名２１４、トラック名（曲名）２１６、グループ名２１８などが含まれている。
データ用メモリ２２には、複数のコンテンツ２００と、各コンテンツ２００に付加された付加情報２１０が格納されている。
【００１１】
図５はコンテンツの階層構造およびサーチ機能の説明図である。
図５を参照してコントローラ３８によるコンテンツの階層的な管理について説明する。
コントローラ３８は、付加情報２１０を上位の階層から下位の階層にわたる複数の階層に分けて階層的に管理するように構成され、付加情報２１０をディスプレイ１０に表示させる。
最上位の階層には、「アーティスト（Ａｒｔｉｓｔ）」、「アルバム（Ａｌｂｕｍ）」、「Ａｌｌ  Ｔｒａｃｋ」、「グループ（Ｇｒｏｕｐ）」という４つの付加情報２１０が位置している。
そして、付加情報２１０のうちアーティスト名２１２を管理する場合には、「アーティスト（Ａｒｔｉｓｔ）」の下位に「オールアーティスト（Ａｌｌ  Ａｒｔｉｓｔ）」と、各アーティスト名からなる下位の階層がある。「オールアーティスト（Ａｌｌ  Ａｒｔｉｓｔ）」と、各アーティスト名とは同一の階層に存在している。
したがって、上位階層のアーティストを特定することで、下位階層の各アーティストを特定し、さらにアーティストに対応するトラック（曲名）、コンテンツ２００を選択することができる。
また、付加情報２１０のうちアルバム名２１４を管理する場合には、「アルバム（Ａｌｂｕｍ）」の下位に「オールアルバム（Ａｌｌ  Ａｌｂｕｍｕ）」と、各アルバム名からなる下位の階層がある。「オールアルバム（Ａｌｌ  Ａｌｂｕｍｕ）」と、各アルバム名２１４とは同一の階層に存在している。
したがって、上位階層のアルバムを特定することで、下位階層のアルバム名２１４を特定し、さらに、そのアルバム名２１４に対応するトラック２１６、コンテンツ２００を選択することができる。
また、付加情報２１０のうちトラック名２１６を管理する場合には、「Ａｌｌ  Ｔｒａｃｋ」の下位に各トラック名２１６からなる下位の階層がある。各トラック名２１６は同一の階層に存在している。
したがって、上位階層のオールトラックを特定することでトラック名２１６に対応するコンテンツ２００を選択することができる。
また、付加情報２１０のうちグループ名２１８を管理する場合には、「グループ（Ｇｒｏｕｐ）」の下位に「オールグループ（Ａｌｌ  Ｇｒｏｕｐ）」と、各グループ名２１８からなる下位の階層がある。「オールグループ（Ａｌｌ  Ｇｒｏｕｐ）」と、各グループ名とは同一の階層に存在している。
したがって、上位階層のグループを特定することで、下位のグループ名２１８を特定し、さらに、そのグループ名に対応するトラック名２１６、コンテンツ２００を選択することができる。
もちろん、各トラック名２１６からそのトラック名に対応するアーティスト名２１２、アルバム名２１４、グループ名２１８を特定することもできる。
【００１２】
図６はメニュー情報３００の階層構造の説明図、図７、図８はメニュー情報３００の詳細説明図である。
図６乃至図８を参照してコントローラ３８によるメニュー情報３００の階層的な管理について説明する。
コントローラ３８は、電子機器１００の動作にまつわる複数の設定内容を示すメニュー情報３００を上位の階層から下位の階層にわたる複数の階層に分けて階層的に管理するように構成され、メニュー情報３００をディスプレイ１０に表示させる。
図６に示すように、メニュー情報３００の最上位の階層には１３種類のメニュー情報３００がある。
メニュー情報３００は、選曲を行う「サーチ（Ｓｅａｒｃｈ）」、コンテンツをリピートして再生する際のモード「リピートモード（Ｒｅｐｅａｔ  Ｍｏｄｅ）」、再生早送りおよび再生早戻しの速度を設定する「キュー／レビュー（Ｃｕｅ／Ｒｅｖ」、チューナー３２の選局のプリセットを行う「ＦＭ自動プリセット（ＦＭ  Ａｕｔｏ  Ｐｒｅｓｅｔ）」、チューナー３２の選局を行う「スキャンセンス（Ｓｃａｎ  Ｓｅｎｓ）」、「音質（Ｓｏｕｎｄ）」、「音量（Ｖｏｌｕｍｅ）」、「自動音量調整（ＡＶＬＳ）」、「操作音（Ｂｅｅｐ）」、「省電力（Ｐｏｗｅｒ  Ｓａｖｅ」、「表示画面設定（Ｄｉｓｐｌａｙ  Ｓｃｒｅｅｎ）」、「日付（Ｄａｔｅ−Ｔｉｍｅ）」、「上級メニュー（Ａｄｖａｎｃｄｅ  Ｍｅｎｕ）」である。
【００１３】
図６に示すように、「サーチ（Ｓｅａｒｃｈ）」の下位の階層としては図５に示すサーチ画面が表示される。
また、図６、図７に示すように、「リピートモード（Ｒｅｐｅａｔ  Ｍｏｄｅ）」の下位の階層には、「トラックリピート（Ｔｒａｃｋ  Ｒｅｐｅａｔ）」、「Ａ−Ｂリピート（Ａ−Ｂ  Ｒｅｐｅａｔ）」「センテンスリピートＳｅｎｔｅｎｃｅ  Ｒｅｐｅａｔ」の３つのメニュー情報３００が存在する。これら３つのメニュー情報３００は同一階層に位置している。
「キュー／レビュー（Ｃｕｅ／Ｒｅｖ」の下位の階層には、速度を示す「通常（Ｎｏｒｍａｌ）」、「高速（Ｒａｐｉｄ）」の２つのメニュー情報３００が存在する。これら２つのメニュー情報３００は同一階層に位置している。
ＦＭ自動プリセット（ＦＭ  Ａｕｔｏ  Ｐｒｅｓｅｔ）」の下位の階層には、「ＯＫ」、「中止（Ｃａｎｃｅｌ）」、「完了（Ｃｏｍｐｌｅｔ）」の３つのメニュー情報３００が存在する。これら３つのメニュー情報３００は同一階層に位置している。
「スキャンセンス（Ｓｃａｎ  Ｓｅｎｓ）」の下位の階層には、「ＯＮ」、「ＯＦＦ」の２つのメニュー情報３００が存在する。これら２つのメニュー情報３００は同一階層に位置している。
【００１４】
「音質（Ｓｏｕｎｄ）」の下位の階層には、「ＯＦＦ」、「１」、「２」の３つのメニュー情報３００が存在する。これら３つのメニュー情報３００は同一階層に位置している。さらに、「１」、「２」の下位の階層には、それぞれ「低音（Ｂａｓｓ）」、「高音（Ｔｒｅｂｌｅ）」をそれぞれ＋３〜−４の８段階に設定するための数値が８つのメニュー情報３００として存在している。これら８つのメニュー情報３００は同一階層に位置している。
「音量（Ｖｏｌｕｍｅ）」の下位の階層には、「手動（Ｍａｎｕａｌ）」、「プリセット（Ｐｒｅｓｅｔ）」の２つのメニュー情報３００が存在する。これら２つのメニュー情報３００は同一階層に位置している。さらに、プリセットの下位の階層には、「Ｌ」、「Ｍ」、「Ｈ」の３つのメニュー情報３００が存在する。これら３つのメニュー情報３００は同一階層に位置している。
「自動音量調整（ＡＶＬＳ）」の下位の階層には、「ＯＮ」、「ＯＦＦ」の２つのメニュー情報３００が存在する。これら２つのメニュー情報３００は同一階層に位置している。
【００１５】
図６、図８に示すように、「操作音（Ｂｅｅｐ）」の下位の階層には、「ＯＮ」、「ＯＦＦ」の２つのメニュー情報３００が存在する。これら２つのメニュー情報３００は同一階層に位置している。
「省電力（Ｐｏｗｅｒ  Ｓａｖｅ」の下位の階層には、「通常（ＯＮ−Ｎｏｒｍａｌ）」、「低省電力（ＯＮ−Ｓｕｐｅｒ」、「省電力無し（ＯＦＦ）」の３つのメニュー情報３００が存在する。これら３つのメニュー情報３００は同一階層に位置している。
「表示画面設定（Ｄｉｓｐｌａｙ  Ｓｃｒｅｅｎ）」の下位の階層には、「Ｐｏｓｉｏｎ」、「トラック情報（Ｔｒａｃｋ  Ｉｎｆｏ）」、「時計表示（Ｃｌｏｃｋ）」、「Ｆｒｕｉｔｓ」、「Ｓｃｅｎｅ」、「Ｗａｖｅ」の５つのメニュー情報３００が存在する。これら５つのメニュー情報３００は同一階層に位置している。さらにこれら５つのメニュー情報３００の下位にはそれぞれ「ＯＮ」、「ＯＦＦ」の２つのメニュー情報３００が存在する。これら２つのメニュー情報３００は同一階層に位置している。
「日付（Ｄａｔｅ−Ｔｉｍｅ）」の下位の階層には、年月日を表示するメニュー情報３００と、時刻を表示するメニュー情報３００との２つの２つのメニュー情報３００が存在する。これら２つのメニュー情報３００は同一階層に位置している。
【００１６】
「上級メニュー（Ａｄｖａｎｃｄｅ  Ｍｅｎｕ）」の下位の階層には、「フォーマット（Ｆｏｒｍａｔ）」、「ＵＳＢ」、「日付表示（Ｄａｔｅ  Ｄｉｓｐ  Ｔｙｐｅ）」、「時間表示（Ｔｉｍｅ  Ｄｉｓｐ）」、「Ｒｏｔａｔｉｏｎ」、「Ｉｎｆｏｒｍａｔｉｏｎ」の６つのメニュー情報３００が存在する。これら６つのメニュー情報３００は同一階層に位置している。
さらに、「フォーマット（Ｆｏｒｍａｔ）」の下位の階層には「Ｃａｎｃｅｌ」、「ＯＫ」の２つのメニュー情報３００が存在する。これら２つのメニュー情報３００は同一階層に位置している。また、「ＯＫ」の下位の階層には「Ｆｏｒｍａｔｔｉｎｇ」、「Ｃｏｍｐｌｅｔｅ」の２つのメニュー情報３００が存在する。これら２つのメニュー情報３００は同一階層に位置している。
「ＵＳＢ」の下位の階層には、ＵＳＢ接続時の電流量を設定するために「Ｈｉｇｈ−５００ｍＡ」、「Ｌｏｗ−１００ｍＡ」の２つのメニュー情報３００が存在する。これら２つのメニュー情報３００は同一階層に位置している。
「日付表示（Ｄａｔｅ  Ｄｉｓｐ  Ｔｙｐｅ）」の下位の階層には、年月日を３種類の順番（年月日yy/mm/dd）、（日月年dd/mm/yy）、（月日年mm/dd/yy）で表示する３つのメニュー情報３００が存在する。これら３つのメニュー情報３００は同一階層に位置している。
「時間表示（Ｔｉｍｅ  Ｄｉｓｐ）」の下位の階層には、時間（時刻）を１２時間表示、２４時間表示の２種類で表示する２つのメニュー情報３００が存在する。これら２つのメニュー情報３００は同一階層に位置している。
「Ｒｏｔａｔｉｏｎ」の下位の階層には、ディスプレイ１０の表示方向と操作部２０の各スイッチの割り当てを右利き用と左利き用とで反転させるために「Ｒ  Ｈａｎｄ」、「Ｌ  Ｈａｎｄ」の２つのメニュー情報３００が存在する。これら２つのメニュー情報３００は同一階層に位置している。
「Ｉｎｆｏｒｍａｔｉｏｎ」の下位の階層には、電子機器１００の型番号、データ用メモリ２２の記憶容量、電子機器１００のシリアル番号、電子機器１００のファームウェアのバージョン番号の４つのメニュー情報３００が存在する。これら４つのメニュー情報３００は同一階層に位置している。
したがって、上位階層のメニュー情報３００を特定することで、下位のメニュー情報３００を特定し、さらに、その下位のメニュー情報３００の下位のメニュー情報３００を順次選択することができる。
【００１７】
次に、ディスプレイ１０の表示について詳細に説明する。
図９は再生時におけるディスプレイ１０の表示内容を示す図である。
図９に示すように、再生時、ディスプレイ１０には、再生停止アイコン４０、リピートモードアイコン４２、再生コンテンツ単位アイコン４４、トラック文字列４６、電池残量アイコン４８が表示される。
再生停止アイコン４０は、再生中であるか停止中であるかを示すアイコンである。
リピートモードアイコン４２は、コンテンツの再生を繰り返して行う際にどのような単位（区間）でコンテンツを再生しているかを示すアイコンである。
再生コンテンツ単位アイコン４４は、再生している曲の単位が、１曲単位（トラック単位)であるか、グループ単位（複数のトラックを一まとまりとした単位）であるか、アルバム単位であるかを示すアイコンである。
トラック文字列４６は付加情報２１０であって、再生中のコンテンツのトラック名（曲名）２１６を文字で示したものである。
電池残量アイコン４８は、電池の残量を示すものであり、残量に応じて表示状態が変化するものである。具体的には電池の残量が減るにつれてアイコンの空白部分が増えるように変化するものである。
再生時および停止時において、ディスプレイ１０の表示画面ａ（表示領域）は、再生停止アイコン４０、リピートモードアイコン４２、再生コンテンツ単位アイコン４４、トラック文字列４６などを表示する第１の表示領域ａ２と、電池残量アイコン４８を表示する第２の表示領域ａ２とに分割されている。
言い換えると、表示画面ａは、第１の表示領域ａ１と、表示領域ａから第１の表示領域ａ１を除いた第２の表示領域ａ２とに区画されている。
【００１８】
図１０（Ａ）乃至（Ｅ）は１曲送り操作時におけるディスプレイ１０の表示内容の変化を示す説明図、図１１は曲送り操作時における制御フローチャートである。
図１１のフローチャートを参照して曲送り操作時の動作について説明する。
まず、停止中において、操作部２０の再生停止ボタン１８Ａが操作されると、コントローラ３８は、データ用メモリ２２から再生コンテンツである曲を読み出して再生を開始し（ステップＳ１０）、図５（Ａ）に示すように、第２の表示領域ａ２に電池残量アイコン４８を表示させ、第１の表示領域ａ１に再生中の曲のトラック文字列４６を表示させる（ステップＳ１２）。
なお、再生中（停止中）において再生停止アイコン４０、リピートモードアイコン４２、再生コンテンツ単位アイコン４４は第２の表示領域ａ２に常時表示されている。
コントローラ３８は、操作部２０の曲送りキー１８Ｂ、曲戻しキー１８Ｃの第１の方向ｄ１または第２の方向ｄ２への操作がなされたか否かを監視し(ステップＳ１４)、操作がなされなければ、ステップＳ１２に戻る。
また、曲送りキー１８Ｂまたは曲戻しキー１８Ｃが所定時間操作されると、コンテンツの送りまたは戻しを行わせ、表示画面ａの表示内容を変更する命令が発生されコントローラ３８に与えられる。
これにより、コントローラ３８は、図５（Ｂ）に示すように、ディスプレイ１０に次のコンテンツのトラック文字列４６（特許請求の範囲の他の表示内容に相当）を表示させるとともに、第２の表示領域ａ２に表示されていた電池残量アイコン４８の表示を消した後、表示画面ａに（本実施の形態では第２の表示領域ａ２に）曲送り方向を示す方向アイコン５０（特許請求の範囲の方向情報に相当）を表示させる（ステップＳ１６）。
すなわち、方向アイコン５０は、コンテンツの送りまたは戻しがなされることに対応して第１の表示領域ａ１に表示されるトラック文字列４６が存在する方向を示す情報であり、言い換えると、表示画面ａに表示可能な他の表示内容が存在する方向を示す方向情報であり、方向アイコン５０は、表示画面ａ上において互いに１８０度反対方向を向いた２つの三角形のアイコンで構成されている。
なお、本明細書において方向アイコンとは、方向を示すアイコンであればよく、三角形アイコンでも、あるいは、矢印で構成されたアイコンであってもよい。
【００１９】
本実施の形態では、図１０（Ｂ）に示すように、送り方向と戻り方向の２つの方向アイコン５０が表示され、送り方向または戻り方向の一方の方向アイコン５０が点滅され、他方の方向アイコンは点灯された状態で表示される。
また、コンテンツが送られる場合には、図１０（Ｂ）乃至（Ｄ）に示すように、トラック文字列４６がディスプレイ１０の下辺から上辺に向かって徐々にスライドしていくように（スクロールして）表示される。
なお、曲が戻される場合には、上記と逆にトラック文字列４６がディスプレイ１０の上辺から下辺に向かって徐々にスライドしていくように表示される。
また、図２、図１０（Ａ）に示すように、曲送りキー１８Ｂの第１の方向ｄ１は、ディスプレイ１０における方向アイコン５０の送り方向およびディプレイ１０に表示されるトラック文字列４６の送り時の移動方向と合致している。
また、曲戻しキー１８Ｃの第２の方向ｄ２は、ディスプレイ１０における方向アイコン５０の戻り方向およびディプレイ１０に表示されるトラック文字列４６の戻り時の移動方向と合致している。
やがて、１曲分の曲送りまたは曲戻しが完了して所定時間（例えば２秒）経過すると、図１０（Ｅ）に示すように、方向アイコン５０の表示を消した後、第２の表示領域ａ２に電池残量アイコン４８を再び表示させ、再生中は電池残量アイコン４８が表示されたままとなる（ステップＳ１８）。
コントローラ３８は、再生停止キー１８Ａが操作されたか否かを監視し（ステップＳ２０）、操作されなければステップＳ１２に戻り、操作されれば、再生動作を停止し（ステップＳ２２）、次の操作を待機する。
また、本実施の形態では電池残量アイコン４８の表示を消した後の方向アイコン５０が第２の表示領域ａ２に表示される場合について説明したが、方向アイコン５０の表示位置は任意であり、例えば、方向アイコン５０の一部が第１の表示領域ａ１に表示されてもよいことは無論である。
また、本実施の形態では、前記所定時間が経過した後、変更された表示内容としてトラック文字列４６が第１の表示領域ａ１に残され、方向アイコン５０の表示を消した後の電池残量アイコン４８の表示が第２の表示領域ａ２で行われる場合について説明したが、電池残量アイコン４８の表示位置は任意であり、例えば、電池残量アイコン４８の一部が第１の表示領域ａ１に表示されてもよいことは無論である。
【００２０】
図１２（Ａ）乃至（Ｅ）は連続曲送り操作時におけるディスプレイ１０の表示内容の変化を示す説明図である。
図１１のフローチャートを流用して説明すると、まず、停止中において、操作部２０の再生停止ボタン１８Ａが操作されると、コントローラ３８は、データ用メモリ２２から再生コンテンツである曲を読み出して再生を開始し（ステップＳ１０）、図１２（Ａ）に示すように、第２の表示領域ａ２に電池残量アイコン４８を表示させ、第１の表示領域ａ１に再生中の曲のトラック文字列４６を表示させる（ステップＳ１２）。
なお、再生中（停止中）において再生停止アイコン４０、リピートモードアイコン４２、再生コンテンツ単位アイコン４４は第１の表示領域ａ１に常時表示されている。
コントローラ３８は、操作部２０の曲送りキー１８Ｂ、曲戻しキー１８Ｃの操作がなされたか否かを監視し(ステップＳ１４)、操作がなされなければ、ステップＳ１２に戻る。
また、曲送りキー１８Ｂまたは曲戻しキー１８Ｃの操作時間が所定時間よりも長いと、図１２（Ｂ）に示すように、第２の表示領域ａ２に電池残量アイコン４８の代わりに、曲送り方向を示す方向アイコン５０を表示させ、図１２（Ｂ）乃至（Ｅ）に示すように、ディスプレイ１０に表示されるトラック文字列４６を順次変化させる（ステップＳ１６）。
本実施の形態では、図１２（Ｂ）に示すように、送り方向と戻り方向の２つの方向アイコン５０が表示され、送り方向または戻り方向の一方の方向アイコン５０が点滅され、他方の方向アイコン５０は点灯された状態で表示される。すなわち、別のトラック文字列４６が存在している場合にそのトラック文字列４６が存在する方向（送り方向または戻り方向）を示す方向アイコン５０のみが表示され、別のトラック文字列４６が存在していない場合には、別のトラック文字列４６が存在していない方向の方向アイコン５０の表示はなされない。
やがて、曲送りキー１８Ｂまたは曲戻しキー１８Ｃの操作が解除され２秒経過すると、図１２（Ｆ）に示すように、第１の表示領域ａ１には、トラック文字列４６の表示を残したままで、第２の表示領域ａ２には、方向アイコン５０の代わりに電池残量アイコン４８が再び表示され、再生中は電池残量アイコン４８が表示されたままとなる（ステップＳ１８）。
コントローラ３８は、再生停止キー１８Ａが操作されたか否かを監視し（ステップＳ２０）、操作されなければステップＳ１２に戻り、操作されれば、再生動作を停止し（ステップＳ２２）、次の操作を待機する。
本実施の形態の場合でも、電池残量アイコン４８の表示を消した後の方向アイコン５０の表示位置は任意であり、また、前記所定時間が経過した後の電池残量アイコン４８の表示位置は任意である。
【００２１】
本実施の形態によれば、コンテンツの再生中あるいは停止中は電池残量アイコン４８によって電池の残量を簡単に視認でき、操作部２０の操作によりコンテンツの送りあるいは戻しの操作を行うと所定時間だけ電池残量アイコン４８の代わりに方向アイコン５０が表示され所定時間の経過後は再び電池残量アイコン４８が表示される。
したがって、限られたディスプレイ１０の表示領域を有効に活用して電池残量情報の監視を適切に行うとともに操作性を向上させる上で有利となる。また、限られたディスプレイ１０の表示領域を有効に使用することにより、ディスプレイ１０の小型化、ひいては、携帯用電子機器１００の小型化を図る上で有利となる。
また、本実施の形態では、５方向スイッチ１８（４つのキースイッチ１８Ｂ、１８Ｃ、１８Ｄ、１８Ｅ）の操作方向と、方向アイコン５０の方向およびトラック文字列４６の移動方向とが合致しているため、操作性を確保する上で有利となる。
【００２２】
（第２の実施の形態）
次に第２の実施の形態について説明する。
第２の実施の形態では、コンテンツをサーチする場合について説明する。
図１３はサーチ時におけるディスプレイ１０の表示内容を示す図である。
図１３に示すように、サーチ時、ディスプレイ１０の第１の表示領域ａ１には、アーティストアイコン６０（あるいは、アルバムアイコン、グループアイコン、トラックアイコン）と、アーティスト文字列６２（あるいは、アルバム文字列、グループ文字列、トラック文字列４６）とが表示され、第２の表示領域ａ２には電池残量アイコン４８、または、方向アイコン５０が表示される。
【００２３】
図１４（Ａ）サーチ起動時のディスプレイ１０の表示内容の遷移を示す説明図、（Ｂ
はサーチ終了時のディスプレイ１０の表示内容の遷移を示す説明図、図１５（Ａ）、（Ｂ）はサーチ時のディスプレイ１０の表示内容の遷移を示す説明図、図１６はサーチ時の動作フローチャートである。
図１６のフローチャートを参照してサーチ時の動作について説明する。
まず、コンテンツの再生を行うと（ステップＳ３０）、第１の実施の形態の場合と同様に、付加情報２１０であるトラック文字列４６などの付加情報２１０と電池残量アイコン４８が表示される（ステップＳ３２）。
次に、コントローラ３８は、操作部２０によるサーチ操作がなされたか否かを監視し(ステップＳ３４)、操作がなされなければ、ステップＳ３２に戻る。
操作部２０によるサーチ操作がなされると、表示画面ａの表示内容を変更する命令が発生されコントローラ３８に与えられる。
図５、図１４（Ａ）に示すように表示画面ａにサーチ操作がなされたことを示す「Ｓｅａｒｃｈ」という文字列が表示され、次いで、文字列が表示画面ａの長手方向の一方にスクロールされ、第１の表示領域ａ１に最上位の階層である「Ａｌｌ  Ｔｒａｃｋ」が表示されるとともに、第２の表示領域ａ２に表示されていた電池残量アイコン４８の表示を消した後、表示画面ａに（本実施の形態では第２の表示領域ａ２と第１の表示領域ａ１の一部にわたって）最上位の階層と同一階層あるいは下位の階層において付加情報２１０の表示が可能であることを示す方向アイコン５０が表示される（ステップＳ３６）。
すなわち、方向アイコン５０は、図１５（Ａ）、（Ｂ）に示すように、第１の表示領域ａ１に表示されている付加情報２１０とは別の階層に存在する別の付加情報２１０が存在する方向を示す情報と、第１の表示領域ａ１に表示されている付加情報２１０と同一階層に存在する別の付加情報２１０が存在する方向を示す情報の双方である方向情報を構成している。
本実施の形態では、図１３に示すように、方向情報は、表示画面ａ上において互いに９０度をなして隣り合う４つの方向を向いた４つの方向アイコン５０（第１乃至第４の方向アイコンに相当）で構成されている。
また、方向アイコン５０は、４つのキースイッチ１８Ｂ、１８Ｃ、１８Ｄ、１８Ｅの各操作方向に対応して第１乃至第４の方向ｄ１、ｄ２、ｄ３、ｄ４と合致する方向を向いた４つの三角形のアイコンで構成されている。
４つの方向アイコン５０の表示は、別の付加情報２１０が存在している場合にその付加情報２１０が存在する方向を示す方向アイコン５０のみが表示され、別の付加情報２１０が存在していない場合にはその付加情報２１０が存在していない方向の方向アイコン５０の表示はなされない。
【００２４】
本実施の形態では、５方向スイッチ１８が第１の方向ｄ１または第２の方向ｄ２に操作されることでコントローラ３８は、図５に示すように、同一階層である「アーティスト（Ａｒｔｉｓｔ）」、「アルバム（Ａｌｂｕｍ）」、「Ａｌｌ  Ｔｒａｃｋ」、「グループ（Ｇｒｏｕｐ）」という同一階層内の４つの付加情報２１０を順次表示画面ａに表示させる。
また、５方向スイッチ１８を第３の方向ｄ３あるいは第４の方向ｄ４に操作することでコントローラ３８は、上位の階層から下位の階層にわたって階層が異なる付加情報２１０を順次表示画面ａに表示させる。
例えば、「アーティスト（Ａｒｔｉｓｔ）」から下位の階層の「Ａｌｌ  Ａｒｔｉｓｔ」を表示させ、そこから同一階層の個々のアーティスト名を表示させる。
あるいは、「アルバム（Ａｌｂｕｍ）」から下位の階層の「オールアルバム（Ａｌｌ  Ａｌｂｕｍ）」を表示させ、そこから同一階層の個々のアルバム名を表示させる。
あるいは、「グループ（Ｇｒｏｕｐ）」から下位の階層の「オールグループ（Ａｌｌ  Ｇｒｏｕｐ）」を表示させ、そこから同一階層の個々のグループ名を表示させる。
あるいは、「Ａｌｌ  Ｔｒａｃｋ」から下位の階層の個々のトラック文字列４６を表示させる。
５方向スイッチ１８の操作が解除されて所定時間（例えば２秒）経過すると、図１４（Ｂ）に示すように、第１の表示領域ａ１には、例えば付加情報２１０としてトラック文字列４６の表示を残したままで、第２の表示領域ａ２には、方向アイコン５０の代わりに電池残量アイコン４８が再び表示され、電池残量アイコン４８が表示されたままとなる（ステップＳ３８）。
コントローラ３８は、操作部２０によるサーチ操作がなされたか否かを監視し(ステップＳ４０)、操作がなされなければ、ステップＳ３２に戻り、操作がなされれば、ステップＳ３６に移行する。
このようにしてコンテンツのサーチがなされる。
【００２５】
第２の実施の形態によれば、コンテンツのサーチ操作が解除されている間は電池残量アイコン４８によって電池の残量を簡単に視認でき、操作部２０の操作によりコンテンツのサーチの操作を行うと所定時間だけ電池残量アイコン４８の代わりに方向アイコン５０が表示され所定時間の経過後は再び電池残量アイコン４８が表示される。
したがって、限られたディスプレイ１０の表示領域を有効に活用して電池残量情報の監視を適切に行うとともに操作性を向上させる上で有利となる。また、限られたディスプレイ１０の表示領域を有効に使用することにより、ディスプレイ１０の小型化、ひいては、携帯用電子機器１００の小型化を図る上で有利となる。
また、第２の実施の形態では、５方向スイッチ１８（４つのキースイッチ１８Ｂ、１８Ｃ、１８Ｄ、１８Ｅ）の操作方向と、方向アイコン５０の方向および付加情報２１０の存在している方向とが合致しているため、操作性を確保する上で有利となる。
【００２６】
（第３の実施の形態）
次に第３の実施の形態について説明する。
第３の実施の形態では、メニュー情報３００を表示して各種の設定操作を行う場合について説明する。
図１７はメニュー画面表示時におけるディスプレイ１０の表示内容を示す図である。
図１７に示すように、メニュー画面表示時、ディスプレイ１０の第１の表示領域ａ１には、メニュー情報３００が表示され、第２の表示領域ａ２には電池残量アイコン４８、または、方向アイコン５０が表示される。
【００２７】
図１８（Ａ）はメニュー画面表示時のディスプレイ１０の表示内容の遷移を示す説明図、（Ｂ）はメニュー画面表示終了時のディスプレイ１０の表示内容の遷移を示す説明図、図１９（Ａ）、（Ｂ）はメニュー画面表示時のディスプレイ１０の表示内容の遷移を示す説明図、図２０はメニュー画面表示時の動作フローチャートである。
図２０のフローチャートを参照してメニュー画面表示と設定操作について説明する。
まず、コンテンツの再生を行うと（ステップＳ５０）、第１の実施の形態の場合と同様に、付加情報２１０であるトラック文字列４６などの付加情報２１０と電池残量アイコン４８が表示される（ステップＳ５２）。
次に、コントローラ３８は、操作部２０によるによるメニュー画面表示操作がなされたか否かを監視し(ステップＳ５４)、メニュー画面表示操作がなされなければ、ステップＳ５２に戻る。
操作部２０によるメニュー画面表示操作がなされると、表示画面ａの表示内容を変更する命令が発生されコントローラ３８に与えられる。
図６、図１８（Ａ）に示すように表示画面ａにメニュー画面表示操作がなされたことを示す「Ｓｅａｒｃｈ」という文字列が表示されるとともに、第２の表示領域ａ２に表示されていた電池残量アイコン４８の表示を消した後、表示画面ａに（本実施の形態では第２の表示領域ａ２と第１の表示領域ａ１の一部にわたって）、最上位の階層と同一階層あるいは下位の階層において付加情報２１０の表示が可能であることを示す方向アイコン５０が表示される（ステップＳ５６）。
すなわち、方向アイコン５０は、図１９（Ａ）、（Ｂ）に示すように、第１の表示領域ａ１に表示されている付加情報２１０とは別の階層に存在する別の付加情報２１０が存在する方向を示す情報と、第１の表示領域ａ１に表示されている付加情報２１０と同一階層に存在する別の付加情報２１０が存在する方向を示す情報の双方である方向情報を構成している。
第３の実施の形態においても、第２の実施の形態と同様に、図１７に示すように、方向情報は、表示画面ａ上において互いに９０度をなして隣り合う４つの方向を向いた４つの方向アイコンで構成されている。
また、方向アイコン５０は、４つのキースイッチ１８Ｂ、１８Ｃ、１８Ｄ、１８Ｅの各操作方向に対応して第１乃至第４の方向ｄ１、ｄ２、ｄ３、ｄ４と合致する方向を向いた４つの方向アイコン５０で構成され、４つの方向アイコン５０は、別の付加情報２１０が存在している場合にその付加情報２１０が存在する方向を示す方向アイコン５０のみが表示され、別の付加情報２１０が存在していない場合にはその付加情報２１０が存在していない方向の方向アイコン５０の表示はなされないことも第２の実施の形態と同様である。
【００２８】
本実施の形態では、５方向スイッチ１８が第１の方向ｄ１または第２の方向ｄ２に操作されることでコントローラ３８は、図６に示すように、同一階層である「サーチ（Ｓｅａｒｃｈ）」、「リピートモード（Ｒｅｐｅａｔ  Ｍｏｄｅ）」、「キュー／レビュー（Ｃｕｅ／Ｒｅｖ」、「ＦＭ自動プリセット（ＦＭ  Ａｕｔｏ  Ｐｒｅｓｅｔ）」、「スキャンセンス（Ｓｃａｎ  Ｓｅｎｓ）」、「音質（Ｓｏｕｎｄ）」、「音量（Ｖｏｌｕｍｅ）」、「自動音量調整（ＡＶＬＳ）」、「操作音（Ｂｅｅｐ）」、「省電力（Ｐｏｗｅｒ  Ｓａｖｅ」、「表示画面設定（Ｄｉｓｐｌａｙ  Ｓｃｒｅｅｎ）」、「日付（Ｄａｔｅ−Ｔｉｍｅ）」、「上級メニュー（Ａｄｖａｎｃｄｅ  Ｍｅｎｕ）」という同一階層内の１３のメニュー情報３００を順次表示画面ａに表示させる。
また、５方向スイッチ１８を第３の方向ｄ３あるいは第４の方向ｄ４に操作することでコントローラ３８は、上位の階層から下位の階層にわたって階層が異なるメニュー情報３００を順次表示画面ａに表示させる。
例えば、「リピートモード（Ｒｅｐｅａｔ  Ｍｏｄｅ）」の下位の階層を表示させ、５方向スイッチ１８を第１の方向ｄ１あるいは第２の方向ｄ２に操作することで同一階層内の「トラックリピート（Ｔｒａｃｋ  Ｒｅｐｅａｔ）」、「Ａ−Ｂリピート（Ａ−Ｂ  Ｒｅｐｅａｔ）」「センテンスリピートＳｅｎｔｅｎｃｅ  Ｒｅｐｅａｔ」の３つのメニュー情報３００を順次表示させ、所望のメニュー情報３００が表示された状態で、５方向スイッチ１８の再生停止キー（Ｐｌａｙ／Ｓｔｏｐキー）１８Ａ（決定キーとして機能する）を操作することで、設定操作を行う。
５方向スイッチ１８の操作が解除されて所定時間（例えば２秒）経過すると、第１の表示領域ａ１には、例えばメニュー情報３００として「トラックリピート（Ｔｒａｃｋ  Ｒｅｐｅａｔ）」の表示を残したままで、第２の表示領域ａ２には、方向アイコン５０の代わりに電池残量アイコン４８が再び表示され、電池残量アイコン４８が表示されたままとなる（ステップＳ５８）。
コントローラ３８は、操作部２０によるメニュー画面表示操作がなされたか否かを監視し(ステップＳ６０)、操作がなされなければ、ステップＳ５２に戻り、図１８（Ｂ）に示すように、付加情報２１０であるトラック文字列４６などの付加情報２１０と電池残量アイコン４８が表示され、操作がなされれば、ステップＳ５６に移行する。
このようにしてメニュー画面表示と種々の設定操作がなされる。
なお、本実施の形態では、メニュー情報３００として「リピートモード（Ｒｅｐｅａｔ  Ｍｏｄｅ）」を表示させて設定操作を行う場合について説明したが、他のメニュー情報３００についても同様に表示させて設定操作を行うことができることは無論である。
【００２９】
第３の実施の形態によれば、メニュー画面表示操作が解除されている間は電池残量アイコン４８によって電池の残量を簡単に視認でき、操作部２０の操作によりメニュー画面表示操作を行うと所定時間だけ電池残量アイコン４８の代わりに方向アイコン５０が表示され所定時間の経過後は再び電池残量アイコン４８が表示される。
したがって、第２の実施の形態と同様に、限られたディスプレイ１０の表示領域を有効に活用して電池残量情報の監視を適切に行うとともに操作性を向上させる上で有利となる。また、限られたディスプレイ１０の表示領域を有効に使用することにより、ディスプレイ１０の小型化、ひいては、携帯用電子機器１００の小型化を図る上で有利となる。
また、第３の実施の形態においても、５方向スイッチ１８（４つのキースイッチ１８Ｂ、１８Ｃ、１８Ｄ、１８Ｅ）の操作方向と、方向アイコン５０の方向およびメニュー情報３００の存在している方向とが合致しているため、操作性を確保する上で有利となる。
【００３０】
なお、実施の形態では、電子機器１００がメモリプレーヤである場合について説明したが、本発明はこれに限定されるものではなく、ディスプレイ１０を有する従来公知の様々な電子機器に広く適用可能である。
また、実施の形態では、コンテンツが音楽コンテンツである場合について説明したが、コンテンツは音楽コンテンツに限定されるものではなく、例えば、動画や静止画などの画像やテキストデータなどを含むものであってもよいことは無論である。
また、実施の形態では、方向情報が表示画面ａ上において互いに９０度をなして隣り合う４つの方向を向いた４つの方向アイコンで構成されている場合について説明したが、方向情報を構成する方向アイコンの数や方向アイコンの方向は任意である。
【図面の簡単な説明】
【００３１】
【図１】第１の実施の形態の電子機器１００の斜視図である。
【図２】電子機器１００のディスプレイ１０と操作部２０の配置を模式的に示した平面図である。
【図３】携帯用電子機器１００の構成を示すブロック図である。
【図４】コンテンツのデータ構造を示す説明図である。
【図５】コンテンツの階層構造およびサーチ機能の説明図である。
【図６】メニュー情報３００の階層構造の説明図である。
【図７】メニュー情報３００の詳細説明図である。
【図８】メニュー情報３００の詳細説明図である。
【図９】再生時におけるディスプレイ１０の表示内容を示す図である。
【図１０】（Ａ）乃至（Ｅ）は１曲送り操作時におけるディスプレイ１０の表示内容の変化を示す説明図である。
【図１１】曲送り操作時における制御フローチャートである。
【図１２】（Ａ）乃至（Ｅ）は連続曲送り操作時におけるディスプレイ１０の表示内容の変化を示す説明図である。
【図１３】サーチ時におけるディスプレイ１０の表示内容を示す図である。
【図１４】（Ａ）サーチ起動時のディスプレイ１０の表示内容の遷移を示す説明図である。（Ｂはサーチ終了時のディスプレイ１０の表示内容の遷移を示す説明図である。
【図１５】（Ａ）、（Ｂ）はサーチ時のディスプレイ１０の表示内容の遷移を示す説明図である。
【図１６】サーチ時の動作フローチャートである。
【図１７】メニュー画面表示時におけるディスプレイ１０の表示内容を示す図である。
【図１８】（Ａ）はメニュー画面表示時のディスプレイ１０の表示内容の遷移を示す説明図、（Ｂ）はメニュー画面表示終了時のディスプレイ１０の表示内容の遷移を示す説明図である。
【図１９】（Ａ）、（Ｂ）はメニュー画面表示時のディスプレイ１０の表示内容の遷移を示す説明図である。
【図２０】図２０はメニュー画面表示時の動作フローチャートである。
【符号の説明】
【００３２】
ａ……表示画面、ａ１……第１の表示領域、ａ２……第２の表示領域、１０……ディスプレイ、１８……５方向スイッチ、３８……コントローラ、４６……トラック文字列、４８……電池残量アイコン、５０……方向アイコン、２００……付加情報２１０、３００……メニュー情報、１００……電子機器。
【図１】
2007057845.tif 000003
【図２】
2007057845.tif 000004
【図３】
2007057845.tif 000005
【図４】
2007057845.tif 000006
【図５】
2007057845.tif 000007
【図６】
2007057845.tif 000008
【図７】
2007057845.tif 000009
【図８】
2007057845.tif 000010
【図９】
2007057845.tif 000011
【図１０】
2007057845.tif 000012
【図１１】
2007057845.tif 000013
【図１２】
2007057845.tif 000014
【図１３】
2007057845.tif 000015
【図１４】
2007057845.tif 000016
【図１５】
2007057845.tif 000017
【図１６】
2007057845.tif 000018
【図１７】
2007057845.tif 000019
【図１８】
2007057845.tif 000020
【図１９】
2007057845.tif 000021
【図２０】
2007057845.tif 000022